(57)【要約】【課題】一対のコネクタの抜け止めロック状態で一方のコネクタを強制的に回転させるとことによって該コネクタが任意の角度で位置決め固定される同軸コネクタを提供すること。【解決手段】一対の第１、第２のコネクタ２、１１を備え、第１のコネクタ２は、第１の芯導体と、この芯導体が収容されたロック部材５と有し、第２のコネクタ１１は、第１の芯導体が結合される第２の芯導体１２と、この芯導体が収容されると共にロック部材が差込まれるコネクタハウジング１６とを有し、ロック部材５は、固定部と、この固定部から前方へ延設されて先端部に係止部と複数本のロック指片８とを有し、コネクタハウジング１６は、内壁面に係止部が係止される係合部と、ロック部材の回り止めをする回り止め突起とを有し、いずれかのコネクタが強制的に回転されたときにロック指片が弾性変形して回り止め突起を越えてコネクタが所定角度で位置決め固定される。【選択図】図４
2011086415.tif 000002
【特許請求の範囲】
【請求項１】
互いに着脱自在に嵌合結合される一対の第１、第２のコネクタからなる同軸コネクタであって、
前記第１のコネクタは、第１の芯導体と、前記第１の芯導体が外周に第１の絶縁体を介して収容された電気導電性の筒状体からなるロック部材とを備え、
前記第２のコネクタは、前記第１の芯導体が結合される第２の芯導体と、前記第２の芯導体が外周に第２の絶縁体を介して収容されると共に前記ロック部材が差込まれる電気導電性の筒状体からなるコネクタハウジングとを備え、
前記ロック部材は、前記第１の絶縁体に固定された固定部と、前記固定部から所定間隔毎に隙間溝をあけて前方へ延設されて先端部に係止部を有し該固定部を基点にして半径方向へ弾性変形可能な弾性細条片からなる複数本のロック指片とを有し、前記コネクタハウジングは、前記筒状体の内壁面に前記係止部が係止される係合部と、前記ロック指片の隙間溝に入り込んで前記ロック部材の回り止めをする回り止め突起とを設けて、前記第１、第２のコネクタのいずれかのコネクタが強制的に回転されたときに前記ロック指片が弾性変形して前記回り止め突起を越えてコネクタが所定角度で位置決め固定されることを特徴とする同軸コネクタ。
【請求項２】
前記コネクタハウジングの係合部は、前記筒状体の内周壁面を半径方向へ所定高さ隆起させた環状突起で形成されて、前記環状突起の後方、すなわち前記コネクタハウジングの差込方向前方に前記回り止め突起が形成されていることを特徴とする請求項１に記載の同軸コネクタ。
【請求項３】
前記ロック部材の固定部は、前記第１の絶縁体の外周囲に嵌入される筒状体からなり、前記筒状体から前記複数本のロック指片が前記隙間溝が等間隔に形成されて延設され、前記コネクタハウジングの筒状体内壁面には、前記回り止め突起が前記隙間溝に対応する箇所に配設されていることを特徴とする請求項１に記載の同軸コネクタ。
【請求項４】
前記第１のコネクタは、前記ロック部材の外周に外筒スリーブが設けられ、前記第２のコネクタは、前記コネクタハウジングの筒状体外周囲にメス螺子が設けられていることを特徴とする請求項１に記載された同軸コネクタ。
【請求項５】
請求項１〜４に記載の前記第１、第２のコネクタのいずれか一方のコネクタには、アンテナが着脱自在に結合される結合部が設けられて、前記結合部に所定形状のアンテナが装着されていることを特徴とするＬ型アンテナ付き同軸コネクタ。
【発明の詳細な説明】
【技術分野】
【０００１】
本発明は、同軸コネクタ及びアンテナ付き同軸コネクタに係り、さらに詳しくは、この同軸コネクタはプラグとレセプタクルとからなり、これらのプラグとレセプタクルとを結合したときにいずれか一方、例えばプラグを所定角度で位置決め固定できる同軸コネクタ及びこの同軸コネクタにアンテナを結合したアンテナ付き同軸コネクタに関するものである。特に、プラグにＬ字型アンテナを装着して使用するのに好適なものである。
【背景技術】
【０００２】
一般的な同軸コネクタは、プラグとレセプタクルとからなり、これらのプラグとレセプタクルは、その結合タイプにより、一方のコネクタ、例えばプラグを他方のレセプタクルに螺子結合する、いわゆるスクリュータイプのものと、一方を他方に押込み嵌合結合する、いわゆるプッシュプルタイプのものとに大別されている。
【０００３】
スクリュータイプの同軸コネクタは、結合可能な一対のコネクタ、すなわちプラグとレセプタクルとを備え、これらのコネクタはナットなどを用いて螺子結合するものとなっている。このタイプの同軸コネクタは、螺子を用いた締結作業が必要となるので、この作業が面倒であることからこのような作業を不要にしたプッシュプルタイプの同軸コネクタが提案されている（例えば、下記特許文献１、２参照）。
【０００４】
例えば、下記特許文献１には、結合可能な一対のコネクタを備えたプッシュプルタイプの同軸コネクタが開示されている。この同軸コネクタは、一方のコネクタと他方のコネクタとからなり、一方のコネクタは、内部導体の外側に外部導体部材が設けられている。この外部導体部材は、この外部導体部材に対して移動可能に外側から保持した可動部材と、この可動部材とともに移動可能に設けたカップリングナットとが設けられている。また、外部導体部材と可動部材との間には、第１のバネ部材及び可動部材とカップリングナットとの間に第２のバネ部材がそれぞれ介在されて、外部導体部材の第１のバネ部には第１の突起が設けられて、また、可動部材の第２のバネ部には第１の突部の変位を規制若しくは解除するための第２の突部が設けられている。一方、他方のコネクタには、第１の突部が係合される溝部が形成されている。
【０００５】
両コネクタの結合は、まず、一方のコネクタを他方のコネクタに対向させ、突部のテーパ面を他方のコネクタの先端テーパ面に当接させた状態で第１のバネ部材の弾性力に抗してカップリングナット及び可動部材を押込む。そうすると、第１のバネ部が外側径方向に弾性変形し、第１の突部は外部導体の外周面上に乗り上がる。次いで、カップリングナット及び可動部材をさらに押込むと、第１の突部が溝部に係合し、両コネクタは結合しロックされる。
【０００６】
また、下記特許文献２にも同様のプッシュプルタイプ同軸コネクタが開示されている。以下、図１０を参照して、下記特許文献２に開示されたプッシュプルタイプ同軸コネクタを説明する。なお、図１０は下記特許文献２に開示された同軸コネクタの断面図である。
【０００７】
同軸コネクタ３１は、結合可能な一対の一方のコネクタ３２と他方のコネクタ３３とで構成されている。一方のコネクタ３２は、芯導体３４と、この芯導体３４の外周に絶縁体３５を介在させて設けられた外部導体３６と、この外部導体３６の先端側において径方向に弾性変形可能に設けられたロック部材３７と、この外部導体３６の外周において軸方向に移動可能に設けられた外筒スリーブ３８とを有している。他方のコネクタ３３は、一方のコネクタ３２側の芯導体３４が結合可能な芯導体４８と、この芯導体４８の外周に絶縁体４９を介在させて設けられた外部導体５０とを有し、他方のコネクタ３３側の外部導体５０は、内周部分にロック部材３７が係合可能な係合部５２を備えていると共に外周部分に外筒スリーブ３８が被嵌可能な螺子部５３を備えている。
【０００８】
これらのコネクタ３２、３３の結合は、まず、両コネクタの軸心を一致させ、一方のコネクタ３２が他方のコネクタ３３に押込まれる。この押込みにより、一方のコネクタ３２側の嵌合空間３９に他方のコネクタ３３の先端部が入り込むと共に他方のコネクタ３３側の嵌合空間５１に一方のコネクタ３２側の芯導体３４が入り込み、ロック部４１の先端面５４がコネクタ３３側の外部導体５０の先端面５５に当接される。このとき、外筒スリーブ３８のカム対応部４７は凹部４６の底部５６に位置しており、この状態で、外筒スリーブ３８を先端側に移動させると、カム対応部４７が凹部４６の先端側傾斜面４４に沿って先端側に移動される。これにより、ロック部材３７は内側径方向に押圧されて弾性変形し、ロック部４１の先端面５４とコネクタ３３側の外部導体５０の先端面５５との当接状態は解除される。次いで、一方のコネクタ３２が他方のコネクタ３３にさらに押込まれると、ロック部４１は絶縁体３５と共に他方の嵌合空間５１に入り込み、ロック部４１が係合部５２に係合し、ロック部４１の先端面５４はコネクタ３３側の外部導体５０の端面５９と接触し、一方のコネクタ３２側の芯導体３４は他方のコネクタ３３側の芯導体４８に嵌合される。ここで、外筒スリーブ３８を基端側に移動させると、カム対応部４７は元の位置、すなわち、凹部４６の底部５６に戻り、両コネクタ３２、３３は結合された状態となる。このとき、カム対応部４７は凹部４６の両傾斜面４４、４５に囲まれているので、外筒スリーブ３８を手で操作しなくても、自然に所定位置の底部５６に戻り、両コネクタ３２，３３の結合状態が維持される。
【先行技術文献】
【特許文献】
【０００９】
【特許文献１】特開平１０−３２０４２公報（要約、図１）
【特許文献２】特開２００４−７９４２５号公報（段落〔００２０〕〜〔００２４〕、図１）
【発明の概要】
【発明が解決しようとする課題】
【００１０】
上記特許文献１、２に開示された同軸コネクタは、スクリュータイプのコネクタと比べて、螺子込み作業や緩みを防止するためのトルク管理などが不要になるなどの利点を有している。しかしながら、上記特許文献１の同軸コネクタは、一対のコネクタをロックさせるための部品、例えば、可動部材、第１、第２バネ部材などの種類の異なる多数の部品が必要となるために、この部品点数の増大に伴いコスト高を招く恐れがある。また、部品点数が多いために、部品相互間の寸法精度を高めるのが難しくなり、この精度が低いとコネクタ間の結合状態が一定に保持されずに安定な高周波特性を維持させることが難しい。これに対して、上記特許文献２の同軸コネクタは、上記特許文献１の同軸コネクタと比べて、コネクタを軸方向に付勢させるためのスプリングなどが不要となり、ある程度部品点数が削減されているが、一方でロック部材及び外筒スリーブの構造が複雑でしかも結合及び離脱操作が面倒なものになっている。
【００１１】
また、同軸コネクタは、様々な用途に使用されるが、その一つに、一方のコネクタにＬ字型アンテナを結合して、このアンテナを所望の角度に位置決め固定するのに使用されている。これに使用される同軸コネクタは、通常、スクリュータイプのコネクタであるが、このタイプのコネクタであると、上述したように螺子込み作業や緩みを防止するためのトルク管理が必要となり、トルク管理を適確に行っても、使用中に締結部の緩みが生じて、アンテナが所望角度から移動してしまうことがある。一方、上記特許文献１、２の同軸コネクタを含むこれまでのプッシュプルタイプの同軸コネクタは、一方のコネクタが他方のコネクタに対して、回転自在な構造となっているので、いずれか一方のコネクタにアンテナを結合しても所望の角度に位置決め固定させてこの状態を保持させて置くことが困難である。
【００１２】
そこで、本発明は、このような従来技術が抱える課題を解決するとともに、用途のニーズに対応できるようにしたもので、本発明の目的は、互いに着脱自在に嵌合結合される一対のコネクタからなるプッシュプルタイプの同軸コネクタにおいて、一方のコネクタを他方のコネクタへ嵌合結合すると抜け止めロックされるとともに、この結合状態でいずれか一方のコネクタを強制的に回転させると任意の角度で位置決め固定ができるワンタッチで着脱が可能な同軸コネクタ及びアンテナ付き同軸コネクタを提供することにある。
【００１３】
本発明の他の目的は、上記目的を有し、且つ、部品構成を簡単にして、低コスト化を実現した同軸コネクタ及びアンテナ付き同軸コネクタを提供することにある。
【００１４】
本発明のまた他の目的は、上記の各目的を有し、且つ、スクリュータイプのコネクタをも結合可能な同軸コネクタ及びアンテナ付き同軸コネクタを提供することにある。
【課題を解決するための手段】
【００１５】
上記の目的は以下の構成によって達成できる。本願の請求項１の同軸コネクタに係る発明は、互いに着脱自在に嵌合結合される一対の第１、第２のコネクタからなる同軸コネクタであって、前記第１のコネクタは、第１の芯導体と、前記第１の芯導体が外周に第１の絶縁体を介して収容された電気導電性の筒状体からなるロック部材とを備え、前記第２のコネクタは、前記第１の芯導体が結合される第２の芯導体と、前記第２の芯導体が外周に第２の絶縁体を介して収容されると共に前記ロック部材が差込まれる電気導電性の筒状体からなるコネクタハウジングとを備え、前記ロック部材は、前記第１の絶縁体に固定された固定部と、前記固定部から所定間隔毎に隙間溝をあけて前方へ延設されて先端部に係止部を有し該固定部を基点にして半径方向へ弾性変形可能な弾性細条片からなる複数本のロック指片とを有し、前記コネクタハウジングは、前記筒状体の内壁面に前記係止部が係止される係合部と、前記ロック指片の隙間溝に入り込んで前記ロック部材の回り止めをする回り止め突起とを設けて、前記第１、第２のコネクタのいずれかのコネクタが強制的に回転されたときに前記ロック指片が弾性変形して前記回り止め突起を越えてコネクタが所定角度で位置決め固定されることを特徴とする。
【００１６】
請求項２の発明は、請求項１に記載の同軸コネクタにおいて、前記コネクタハウジングの係合部は、前記筒状体の内周壁面を半径方向へ所定高さ隆起させた環状突起で形成されて、前記環状突起の後方、すなわち前記コネクタハウジングの差込方向前方に前記回り止め突起が形成されていることを特徴とする。
【００１７】
請求項３の発明は、請求項１に記載の同軸コネクタにおいて、前記ロック部材の固定部は、前記第１の絶縁体の外周囲に嵌入される筒状体からなり、前記筒状体から前記複数本のロック指片が前記隙間溝が等間隔に形成されて延設され、前記コネクタハウジングの筒状体内壁面には、前記回り止め突起が前記隙間溝に対応する箇所に配設されていることを特徴とする。
【００１８】
請求項４の発明は、請求項１に記載の同軸コネクタにおいて、前記第１のコネクタは、前記ロック部材の外周に外筒スリーブが設けられ、前記第２のコネクタは、前記コネクタハウジングの筒状体外周囲にメス螺子が設けられていることを特徴とする。
【００１９】
請求項５のＬ型アンテナ付き同軸コネクタに係る発明は、請求項１〜４に記載の前記第１、第２のコネクタのいずれか一方のコネクタには、アンテナが着脱自在に結合される結合部が設けられて、前記結合部に所定形状のアンテナが装着されていることを特徴とする。
【発明の効果】
【００２０】
請求項１の発明によれば、第１、第２のコネクタとの結合は、一方のコネクタを他方のコネクタへ押し込むとロック結合され、また、この結合状態で、いずれか一方のコネクタを強制的に回転させると、第１のコネクタのロック指片が弾性変形して第２のコネクタの回り止め突起を越えてコネクタが所定角度で位置決め固定される。すなわち、ワンタッチで嵌合結合ができ、この嵌合結合状態で一方のコネクタの強制回転により該コネクタを所望の角度で位置決め固定が可能になる。したがって、第１、第２のコネクタを所定角度で位置決め固定できるので、一方のコネクタに所望角度に位置決め固定して使用する機器、例えばアンテナなどを結合すると、このアンテナを所定角度で固定して良好な電波を送受信できる。また、ロック部材の構成が簡単になるので、従来技術の同軸コネクタに比べ作製が容易になり、コスト低減を図ることができる。
【００２１】
請求項２の発明によれば、第１、第２のコネクタとの結合時に、ロック部材の係止部がコネクタハウジングの環状突起に確実に係合されて抜け止めされ、隙間溝がコネクタハウジングの回り止め突起に入り込んでロック部材が確実に所定角度に位置決め固定される。
【００２２】
請求項３の発明によれば、ロック部材の固定部を第１の絶縁体の外周囲に嵌入される筒状体とし、この筒状体から複数本のロック指片を隙間溝が等間隔に形成されて延設されるので、内部に中空孔を有する所定長さの筒状体を加工することによって、ロック部材を簡単に作製できる。
【００２３】
請求項４の発明によれば、スクリュータイプのコネクタとも結合して使用することができる。すなわち、この同軸コネクタは、プッシュプルタイプ及びスクリュータイプのいずれのタイプのコネクタに対しても適応できる。その結果、コネクタの選択の自由度が向上し、使い勝手が改善される。
【００２４】
請求項５の発明によれば、Ｌ字型アンテナを所定角度で固定して良好な電波を送受信できる。
【図面の簡単な説明】
【００２５】
【図１】図１は本発明の実施形態に係る同軸コネクタを構成するプラグ及びレセプタクルを示し、図１Ａはプラグとレセプタクルとを結合した状態の斜視図、図１Ｂは図１の分離状態の斜視図である。
【図２】図２Ａは図１Ａの同軸コネクタの側面図、図２Ｂは図２ＡのIIＢ−IIＢ線の断面図である。
【図３】図３は図２Ｂの一部拡大断面図である。
【図４】図４Ａは図１ＡのIVA−IVA線の断面図、図４Ｂは図４Ａのプラグとレセプタクルとを分離した断面図である。
【図５】図５はプラグを示し、図５Ａはプラグの外観斜視図、図５Ｂはプラグの正面図、図５Ｃは図５ＢのＶＣ―ＶＣ線の断面図である。
【図６】図６は図５のプラグを構成するロック部材を示し、図６Ａはロック部材の外観斜視図、図６Ｂは図６Ａのロック部材の正面図、図６Ｃは図６ＢのVIC―VIC線の断面図である。
【図７】図７はレセプタクルハウジングを構成する第１のハウジングを示し、図７Ａは外観斜視図、図７Ｂは正面図、図７Ｃは図７ＢのVIIC―VIIC線の断面図である。
【図８】図８は図７Ａの拡大背面図である。
【図９】図９はレセプタクルハウジングを構成する第２のハウジングを示し図９Ａは外観斜視図、図９Ｂは側面図、図９Ｃは図９ＢのIXC―IXC線の断面図である。
【図１０】は従来技術の同軸コネクタの断面図である。
【発明を実施するための形態】
【００２６】
以下、図面を参照して、本発明を実施するための形態を説明する。但し、以下に示す実施形態は、本発明の技術思想を具体化するための同軸コネクタを例示するものであって、本発明をこれに特定することを意図するものではなく、特許請求の範囲に含まれるその他の実施形態のものにも等しく適応し得るものである。
【００２７】
図１、図２を参照して、本発明の実施形態に係る同軸コネクタを説明する。なお、図１は本発明の実施形態に係る同軸コネクタを構成するプラグ及びレセプタクルを示し、図１Ａはプラグとレセプタクルとを結合した状態の斜視図、図１Ｂは図１の分離状態の斜視図、図２Ａは図１Ａの同軸コネクタの側面図、図２Ｂは図２ＡのIIB−IIB線の断面図である。
【００２８】
本発明の実施形態に係る同軸コネクタ１は、プラグ２とこのプラグが差込まれるレセプタクル１１とからなり、使用周波数がＤＣ〜１２．４ＧＨｚの範囲にあってプッシュプルタイプＳＭＡコネクタ（ＳＭＡ:Ｓｕｂ  Ｍｉｎｉａｔｕｒｅ  ＴｙｐｅＡ）となっている。しかし、この同軸コネクタ１は、スクリュータイプ（螺子締付けタイプ）ＳＭＡコネクタも装着できるものとなっている。なお、これらのプラグ２及びレセプタクル１１は、特許請求の範囲の記載において第１、第２のコネクタと表現されている。
【００２９】
レセプタクル１１は、図示を省略した回路基板などに装着して、パーソナルコンピュータ或いは各種の端末機器などの機器筐体内に収容される構造となっている。プラグ２は、内部中心に芯導体が設けられて、この芯導体は、一端に接触部及び他端に端子部が形成されている。接触部はレセプタクルの芯導体と結合され、端子部は、例えば図示を省略した同軸ケーブル或いはＬ字型アンテナが結合される。なお、同軸ケーブル或いはＬ字型アンテナは、レセプタクル側に設けることもできる。プラグ２は、レセプタクル１１への所定の押込み力による差込みにより電気的接続がされるとともに抜け止めロックされて結合状態が保持され、一方、所定の引き抜き力により簡単に抜き取りができる、いわゆるワンタッチの嵌合結合構造となっている。また、このプラグ２は、レセプタクル１１に結合された状態で、プラグ２を強制的に回転させると、レセプタクル１１に対して回転が可能でしかも任意の角度で位置決め固定できるようになっている。
【００３０】
この構成の同軸コネクタ１は、プラグ２をワンタッチでレセプタクル１１に嵌合結合ができ、しかもプラグ２を任意の角度で位置決め固定できるので、結合操作が簡単で、しかもプラグ端子部にＬ字型アンテナを取付けたときに、このＬ字型アンテナを任意の角度に位置決めして、最適な角度で信号の送受信が可能になる。勿論、プラグをワンタッチでレセプタクルに着脱自在な嵌合結合ができるので、従来技術の螺子結合のコネクタに比べて、結合操作が極めて簡単でしかも使用中に緩むこともない特徴を備えたものとなっている。以下、この同軸コネクタを構成するプラグ及びレセプタクルの構造を詳述する。
【００３１】
図４〜図６を参照して、プラグを説明する。なお、図４Ａは図１ＡのIVA−IVA線の断面図、図４Ｂは図４Ａのプラグとレセプタクルとを分離した断面図、図５はプラグを示し、図５Ａはプラグの外観斜視図、図５Ｂはプラグの正面図、図５Ｃは図５ＢのＶＣ―ＶＣ線の断面図、図６はロック部材を示し、図６Ａはロック部材の外観斜視図、図６Ｂは図６Ａのロック部材の正面図、図６Ｃは図６ＢのVIC―VIC線の断面図である。なお、図４ではプラグ内の芯導体が省略されている。
【００３２】
プラグ２は、図４、図５に示すように、芯導体３と、この芯導体が装着される貫通孔を設けた絶縁体４と、この絶縁体の長手方向の外周囲に固定されてレセプタクル１１にロックされるロック部材５と、これらの部品の組立体が収容されて外部を覆う外筒スリーブ１０とを有している。なお、芯導体３及び絶縁体４は、特許請求の範囲において第１の芯導体及び第１の絶縁体と表現されている。
【００３３】
芯導体３は、図５Ｃに示すように、一端にレセプタクル１１の芯導体に差込まれる接触部３ａと、他端に同軸ケーブル或いはＬ字型アンテナの芯導体が接続される端子部３ｂとを有し、所定長さ及び太さの棒状体からなり、良導電性の金属材で形成されている。
【００３４】
絶縁体４は、図４、図５Ｃに示すように、所定の直径及び長さを有し、長手方向の中心部に芯導体３が挿入固定される貫通孔４０を設けた柱状体からなり、電気絶縁性の合成樹脂成型体で形成されている。この絶縁体４は、ロック部材５の大径筒状部が装着される大径柱状部４ａと、この大径柱状部４ａの一端から所定長さ延設してロック部材５の小径筒状部７との間で所定の隙間をあけて挿入される中径柱状部４ｂ及び他端から所定長さ延設されて外筒スリーブ１０の凹み穴へ圧入される小径柱状部４ｃとを有している。内部の貫通孔４０は、円形孔からなり、その直径は芯導体３が圧入される径となっている。
【００３５】
ロック部材５は、図６に示すように、所定の直径及び長さを有し、内部が中空の円筒体からなり、良導電性の金属材で形成されて外部導体となっている。すなわち、このロック５は、絶縁体４の大径柱状部４ａが嵌入される大径筒状部６と、この大径筒状部から延設されて絶縁体の中径柱状部４ｂとの間で若干の隙間が空く直径及び該中径柱状部４ｂの先端部から若干突出する長さの小径筒状部７とを有し、内部に絶縁体４が挿入される大きさの中空孔９を設けた筒状体で形成されている。中空孔９は、絶縁体の大径柱状部４ａに嵌入される大径孔９ｂと、中径柱状部４ｂが挿入される小径孔９ａとで構成されている。大径筒状部６は、絶縁体の大径柱状部４ａの長さ及び直径と同じ内壁面６ａと、この内壁面６ａから半径外方へ向けて肉厚にし外筒スリーブ１０の内壁面に圧接される外壁面６ｂと有し、後方壁面６ｃに中空孔９の開口が形成されている。前方壁面６ｄから小径筒状部７が突出して連結部が段差壁面となっている。大径筒状部６は、外周壁面の一部が切除されて平坦な切除面部６ｂ１が形成されている。切除部を設けると、大径筒状部６の外周形状が非円形状になり、外筒スリーブ１０内に装着されたときに、該外筒スリーブ１０との間で回り止めとなる。この大径筒状部６は、絶縁体４の大径柱状部４ａに固定される固定部となっている。なお、この大径筒状部は、特許請求の範囲の記載では、固定部と表現されている。
【００３６】
小径筒状部７は、大径筒状部６に比べて肉薄にして、段差壁面から前方へ所定長さ延設されている。この小径筒状部７は、その先端部に円周外方向へ所定の高さ隆起した環状突起部７ａが設けられて、この先端部から段差部に向かって途中までに複数本（例えば８本）のスリット７１を所定の間隔で形成して、この小径筒状部７が複数片の細条片７ｂに分断されている。複数本のスリット７１は、同じ幅長で略等間隔に形成されている。このスリット７１には後述するレセプタクル１１の回り止め突起１８１が嵌り込む。また、複数本のスリット７１を形成することにより、環状突起部７ａも略等間隔に分割されて先端に複数個の円弧状突起７ａ'が形成されて、これらの突起が係止部を形成し、この係止部が後述するレセプタクル１１の環状突起１８ｄ'に係止される（図７Ｃ参照）。分断された細条片７ｂは、先端に係止部を有し所定の長さの弾性片となり、この弾性片は大径筒状部６を基点にして、半径方向へ弾性変形が可能になる。円弧状突起７ａ'からなる係止部と細条片７ｂとでロック指片８を構成している。このロック指片８は、大径筒状部６から延設されるが、その本数を多くすると、スリット数も多くなり、レセプタクルとの結合時にプラグを小さい角度に位置決め固定ができる。
【００３７】
ロック部材５は、外筒スリーブ１０で覆われる。この外筒スリーブは、図４、図５に示すように、ロック部材５の小径筒状部７との間で所定の隙間をあけて覆いレセプタクル１１の筒状部１７Ｂが差込まれる差込筒状部１０ａと、ロック部材５の大径筒状部６に嵌入される嵌入筒状部１０ｂと、この嵌入筒状部の端部開口を塞ぐ閉鎖壁１０ｃに設けられて絶縁体の小径筒状部７が嵌入される凹み孔１０ｄとを有し、電気絶縁性の合成樹脂成型体で形成されている。
【００３８】
プラグ２の組立ては、絶縁体４の貫通孔４０に芯導体３を挿通して、所定の位置に固定する。次いで、この絶縁体４にロック部材５を装着して、このロック部材を外筒スリーブ１０で覆って組立てを完了する。外筒スリーブ１０により、内部のロック部材５などが保護される。
【００３９】
次に、図１、図４及び図７〜図９を参照して、レセプタクルを説明する。なお、図７はレセプタクルハウジングを構成する第１のハウジングを示し、図７Ａは外観斜視図、図７Ｂは正面図、図７Ｃは図７ＢのVIIC―VIIC線の断面図、図８は図７Ａの拡大背面図、図９はレセプタクルハウジングを構成する第２のハウジングを示し、図９Ａは外観斜視図、図９Ｂは側面図、図９Ｃは図９ＢのIXC―IXC線の断面図である。
【００４０】
レセプタクル１１は、図４に示すように、２本の芯導体１２、１３と、これらの芯導体を固定する２個の絶縁体１４、１５と、これらの絶縁体を収容するレセプタクルハウジング（以下、ハウジングという）１６（図１参照）とで構成されている。
【００４１】
ハウジング１６は、図１、図４に示すように、一端にプラグ２が差込まれる差込口を有する第１のハウジング１７と、この第１のハウジング１７に結合されて基板などに固定される第２のハウジング１９とからなり、これらは電気導電性の金属材で形成されている。これらの第１、第２のハウジング１７、１９は、外部導体となっている。第１のハウジング１７は、図７に示すように、所定大きさの長方体ブロック１７Ａと、この長方体ブロック１７Ａの一壁面から前方へ延設突出した筒状部１７Ｂとを有し、内部に貫通孔１８が形成されている。筒状部１７Ｂの外周囲には、オス螺子１７ｂが形成されている。この筒状部１７Ｂには、この螺子１７ｂを利用して、図示を省略したスクリュータイプ（螺子締付けタイプ）のコネクタが結合される。プラグ２との結合では、この筒状部１７Ｂが外筒スリーブ１０で覆われる（図４Ａ参照）。この構成により、この実施形態の同軸コネクタ１は、プッシュプルタイプ及びスクリュータイプのいずれのコネクタにも使用可能になる。
【００４２】
貫通孔１８は、図７Ｃに示すように、長方体ブロックの貫通孔１８Ａと、筒状部の貫通孔１８Ｂとからなり、これらの貫通孔１８Ａ、１８Ｂは長方体ブロック１７Ａ及び筒状部１７Ｂを貫通して形成されている。これらの貫通孔１８Ａ、１８Ｂには、絶縁体１４が挿入される（図４参照）。
【００４３】
長方体ブロックの貫通孔１８Ａは、図４、図７に示すように、貫通孔１８Ｂに連通し、この貫通孔１８Ｂと対向する側の側壁面にカバー装着開口１８ａと、長手方向の一側壁面に第２のハウジング１９が装着される装着孔１８ｂとで構成されている。カバー装着開口１８ａは、カバー２０（図４参照）で塞がれるが、この開口を利用して、一対の芯導体１２、１３の半田接続の作業口にもなっている。
【００４４】
筒状部の貫通孔１８Ｂは、図７Ｃに示すように、先端部にロック部材５の小径筒状部７の直径より若干大きい直径及び所定長さでプラグ２が差込まれる差込口を有する前方孔１８ｃと、この前方孔の奥部にプラグ２のロック部材５の先端部が当接して、半径方向へ縮める傾斜部１８ｄと、この傾斜部を超えて内径を若干縮小させた中間孔１８ｅとを有し、この中間孔１８ｅは貫通孔１８Ａに連通している。傾斜部１８ｄは、プラグ２の差込みガイド部となっている。この貫通孔１８Ａは、前方孔１８ｃと、傾斜部１８ｄ及び中間孔１８ｅとで構成されるので、傾斜部１８ｄと中間孔１８ｅとの境目に内壁面から中心部に向かって所定高さ隆起した環状突起１８ｄ'が形成されて、この環状突起１８ｄ'がプラグ２の係止部が係合される係合部となっている。
【００４５】
また、この貫通孔１８Ｂは、環状突起１８ｄ'から中間孔１８ｅの奥部へ向かって、所定長さの複数本の線条突起１８１が形成されている。すなわち、これらの線条突起１８１は、図８に示すように、中間孔１８ｅの内壁面に沿って等間隔に形成されている。これらの間隔は、プラグ２のロック部材５のスリット７１に対応している。これらの線条突起１８１は、レセプタクル１１にプラグ２が差込まれたときに、各線条突起１８１がそれぞれ対応するプラグ２のスリット７１に嵌り込んでプラグ２を回り止める、いわゆる回り止め突起となっている。以下、この線条突起を回り止め突起という。
【００４６】
図３及び図８を参照して、回り止め突起１８１を説明する。なお、図３は図２Ｂの一部拡大断面図である。これらの回り止め突起１８１は、同じ形状となっており、図３、図８に示すように、この回り止め突起１８１は、内壁面の周方向へ向かって所定の幅長ａ、中間孔の奥へ向かって所定の長さｂ及び高さｃを有し、周方向の両端が傾斜し、断面形状が略台形状になっている。幅長ａ及び長さｂは、ロック部材５のスリット７１に嵌め込まれる長さになっている。また、略台形状の両端の傾斜がガイド面となっている。
【００４７】
この回り止め突起１８１は、その高さｃを低くしてある。突起高さを低くすると、差込まれたプラグ２に少し力を加えて強制的に回転させると、ロック指片８が傾斜面に沿ってガイドされてこの高さｃ、すなわち頂部を越えて回転できる。すなわち、プラグ２がレセプタクル１１に差込まれると、ロック部材５の先端が係合部の環状突起１８ｄ'を超えて、係合部にプラグ２の係止部７ａ'（円弧状突起）が係合されるとともに、スリット１７１に回り止め突起１８１が嵌り込む。これにより、プラグ２が回り止めされる。また、回り止めされても、回り止め突起１８１の高さが低いので、プラグ２に少し力を加えて強制的にいずれかの方向、すなわち時計又は反時計のいずれかの方向へ回転させると、ロック部材５のロック指片８が傾斜面を乗越えて隣接するロック指片８のスリット１７１に回り止め突起１８１に嵌込まれて位置決め固定される。プラグ２の強制的な回転によっても、回り止め突起１８１の高さが低く、この突起の乗越えはロック指片８の弾性変形の範囲内であるので、ロック指片８が損傷することはない。
【００４８】
長方体ブロック１７Ａには、第２のハウジング１９が装着される。この第２のハウジング１９は、図９に示すように、長方体ブロック１７Ａの装着孔１８ｂに嵌入される装着筒状部１９Ａと、この装着筒状部１９Ａに一体に連結されて基板などに取付ける取付け固定部１９Ｂとからなり、内部に絶縁体１５が収容される中空孔１９ａが形成されている。装着筒状部１９Ａは、その外周壁面が一部切欠き形状となっており、この切欠き部１９１が回り止めとなっている。また、取付け固定部１９Ｂは、図９の状態で下方へ所定長さ延設されて複数本の脚片１９ｂが形成されている。これらの脚片は、図示を省略した回路基板のアース電極などに電気接続される端子部となっている。
【００４９】
２本の芯導体１２、１３は、図４に示すように、略同じ形状の良導電製の棒状体で形成されている。一方の芯導体１２は、先端にプラグ２の芯導体３に差込まれる接触部及び他端に他方の芯導体１３に半田接続される端子部となっている。また、一方の芯導体１３は、
一端が芯導体１２の端子部に接続される端子部及び他端が図示を省略した回路基板の電極などに電気接続される端子部となっている。また、２個の絶縁体１４、１５は、一対の芯導体１２、１３を電気的に絶縁するもので、内部にこれらの芯導体が挿通される貫通孔が設けられて、電気絶縁性の合成樹脂成型体で形成されている。
【００５０】
レセプタクル１１の組立ては、第１のハウジング１７に、一方の芯導体１２を固定した絶縁体１４に挿入して位置決め固定する。第２のハウジング１９に、他方の芯導体１３を固定した絶縁体１５を挿入して位置決め固定する。次いで、第１のハウジング１７に第２のハウジング１９を装着して、カバー装着開口１８ａを利用して、一対の芯導体１２、１３の端部を半田接続し、この半田接続作業の終了後にこの開口をカバー２０で塞いで組立てを完了する。
【００５１】
同軸コネクタ１は、組立てたプラグ２とレセプタクル１１で構成される。この同軸コネクタによれば、プラグ２をワンタッチでレセプタクル１１に嵌合結合ができ、しかもプラグ２を任意の角度で位置決め固定できるので、結合操作が簡単で、しかもプラグ端子部にＬ字型アンテナを取付けたときに、このＬ字型アンテナを任意の角度に位置決めして、最適な角度で信号の送受信が可能になる。勿論、プラグをワンタッチでレセプタクルに着脱自在な嵌合結合ができるので、従来技術の螺子結合のコネクタに比べて、結合操作が極めて簡単でしかも使用中に緩むこともない。
【符号の説明】
【００５２】
１    同軸コネクタ
２    プラグ
３    芯導体（第１の芯導体）
４    絶縁体（第１の絶縁体）
４ａ    大径柱状部
４ｂ    中径柱状部
５    ロック部材
６    大径筒状部
７    小径筒状部
７ａ'    円弧状突起
７１    スリット
８    ロック指片
１０    外筒スリーブ
１１    レセプタクル
１２、１３    芯導体
１４、１５    絶縁体(第２の絶縁体)
１６    レセプタクルハウジング
１７    第１のハウジング
１８１    回り止め突起
１９    第２のハウジング
【図１】
2011086415.tif 000003
【図２】
2011086415.tif 000004
【図３】
2011086415.tif 000005
【図４】
2011086415.tif 000006
【図５】
2011086415.tif 000007
【図６】
2011086415.tif 000008
【図７】
2011086415.tif 000009
【図８】
2011086415.tif 000010
【図９】
2011086415.tif 000011
【図１０】
2011086415.tif 000012